【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
装置に組み込まれたウェブアクセス機構であって、
前記装置用の１組のユーザインターフェース機能を備える装置ウェブページを生成するウェブサーバと、
ウェブブラウザのユーザが前記装置ウェブページを通じて前記装置用の前記ユーザインターフェース機能にアクセスできるような前記ウェブブラウザによって前記装置ウェブページへのアクセスを可能にするネットワークインターフェースと、
を具備したことを特徴とするウェブアクセス機構。
【請求項２】
前記ウェブサーバが、前記ネットワークインターフェースを介してＨＴＴＰコマンドを受信し、次いで前記ＨＴＴＰコマンドに応答して前記装置ウェブページを定義するＨＴＭＬファイルを生成することを特徴とする請求項１に記載のウェブアクセス機構。
【請求項３】
前記ＨＴＴＰコマンドが、前記装置に対応するＵＲＬを指定することを特徴とする請求項２に記載のウェブアクセス機構。
【請求項４】
前記ＨＴＭＬファイルが、前記装置に関する１組の情報を含むことを特徴とする請求項３に記載のウェブアクセス機構。
【請求項５】
前記ＨＴＭＬファイルが、前記装置用の１組の所定の機能を制御する１組のＵＲＬを含み、各ＵＲＬが前記装置の内部に配置されたウェブページを指し示すことも、あるいは前記装置の外部に配置されたウェブページを指し示すこともできることを特徴とする請求項３に記載のウェブアクセス機構。
【請求項６】
前記ＨＴＭＬファイルが、前記装置に関する追加情報を指定する外部ウェブページへのハイパーリンクを含むことを特徴とする請求項３に記載のウェブアクセス機構。
【請求項７】
装置用の１組のユーザインターフェース機能を備え、前記装置に関する１組の情報を含む装置ウェブページを生成するプロセッサと、
前記装置ウェブページを記憶するメモリと、
ウェブブラウザが通信経路を介して前記装置ウェブページにアクセスできるように前記通信経路を介した通信を可能にする入出力回路と、
を備えることを特徴とする装置。
【請求項８】
前記プロセッサが、前記入出力回路を介してＨＴＴＰコマンドを受信し、次いで前記ＨＴＴＰコマンドに応答して前記装置ウェブページを定義するＨＴＭＬファイルを生成することを特徴とする請求項７に記載の装置。
【請求項９】
前記ＨＴＴＰコマンドが、前記装置に対応するＵＲＬを指定することを特徴とする請求項８に記載の装置。
【請求項１０】
前記ＨＴＭＬファイルが、前記装置用の１組の所定の機能を制御する１組のＵＲＬを含み、
各ＵＲＬが、前記装置の内部に配置されたウェブページを指し示すことも、あるいは前記装置の外部に配置されたウェブページを指し示すこともできることを特徴とする請求項８に記載の装置。
【請求項１１】
前記ＨＴＭＬファイルが、前記装置用の１組の所定の機能を制御する１組のグラフィカル機構を定義することを特徴とする請求項８に記載の装置。
【請求項１２】
前記ＨＴＭＬファイルが、前記装置に関する追加情報を指定する外部ウェブページへのハイパーリンクを含むことを特徴とする請求項８に記載の装置。
【請求項１３】
装置用のユーザインターフェース方法であって、
前記装置用の１組のユーザインターフェース機能を備える装置ウェブページを前記装置内で生成することと、
ウェブブラウザのユーザが、前記装置ウェブページを通じて前記装置用の前記ユーザインターフェース機能にアクセスするように、前記装置の外部の前記ウェブブラウザから前記装置ウェブページにアクセスすることと、
を有することを特徴とするユーザインターフェース方法。
【請求項１４】
前記装置ウェブページを生成することが、
前記ウェブブラウザから受信されたＨＴＴＰコマンドに応答して、前記装置ウェブページを定義するＨＴＭＬファイルを生成するステップを含むことを特徴とする請求項１３に記載の方法。
【請求項１５】
前記ＨＴＴＰコマンドが、前記装置に対応するＵＲＬを指定することを特徴とする請求項１４に記載の方法。
【請求項１６】
前記ＨＴＭＬファイルが、前記装置に関する１組の情報を含むことを特徴とする請求項１４に記載の方法。
【請求項１７】
前記ＨＴＭＬファイルが、前記装置用の１組の所定の機能を制御する１組のＵＲＬを含み、
各ＵＲＬが、前記装置の内部に配置されたウェブページを指し示すことも、あるいは前記装置の外部に配置されたウェブページを指し示すこともできることを特徴とする請求項１４に記載の方法。
【請求項１８】
前記ＨＴＭＬファイルが、前記装置に関する追加情報を指定する外部ウェブページへのハイパーリンクを含むことを特徴とする請求項１４に記載の方法。
【請求項１９】
装置に組み込まれたユーザインターフェース装置であって、
前記装置用の１組のユーザインターフェース機能を備える装置ウェブページを装置内で生成する手段と、
ウェブブラウザのユーザが、前記装置ウェブページを通じて前記装置用の前記ユーザインターフェース機能にアクセスするように、前記装置の外部の前記ウェブブラウザから前記装置ウェブページにアクセスできるようにする手段と、
を備えることを特徴とするユーザインターフェース装置。
【請求項２０】
前記装置ウェブページを生成する手段が、前記ウェブブラウザによって生成されたＨＴＴＰコマンドに応答して前記装置ウェブページを定義するＨＴＭＬファイルを生成する手段を含むことを特徴とする請求項１９に記載の装置。
【請求項２１】
前記ＨＴＴＰコマンドが、前記装置に対応するＵＲＬを指定することを特徴とする請求項２０に記載の装置。
【請求項２２】
前記ＨＴＭＬファイルが、前記装置に関する１組の情報を含むことを特徴とする請求項２０に記載の装置。
【請求項２３】
前記ＨＴＭＬファイルが、前記装置用の１組の所定の機能を制御する１組のＵＲＬを含み、
各ＵＲＬが、前記装置の内部に配置されたウェブページを指し示すことも、あるいは前記装置の外部に配置されたウェブページを指し示すこともできることを特徴とする請求項２０に記載の装置。
【請求項２４】
前記ＨＴＭＬファイルが、前記装置に関する追加情報を指定する外部ウェブページへのハイパーリンクを含むことを特徴とする請求項２０に記載の装置。
【請求項２５】
装置ウェブページを生成する組み込みウェブサーバを備える装置であって、前記装置ウェブページは、前記装置用の１組のユーザインターフェース機能、と、前記装置に関する１組の情報を含み、通信網を介して前記装置ウェブページにアクセスできるようにするネットワークインターフェースも備える、装置と、
ウェブブラウザのユーザが、前記装置ウェブページを通じて前記装置用の前記ユーザインターフェース機能にアクセスする、前記通信網に結合されたウェブブラウザと、
を備えることを特徴とするシステム。
【請求項２６】
前記装置内の前記ウェブサーバが、前記通信網および前記ネットワークインターフェースを介してＨＴＴＰコマンドを受信し、次いで前記ＨＴＴＰコマンドに応答して前記装置ウェブページを定義するＨＴＭＬファイルを生成することを特徴とする請求項２５に記載のシステム。
【請求項２７】
前記ＨＴＴＰコマンドが、前記装置に対応するＵＲＬを指定することを特徴とする請求項２６に記載のシステム。
【請求項２８】
前記ＨＴＭＬファイルが、前記装置用の１組の所定の機能を制御する１組のＵＲＬを含み、前記装置の前記所定の機能を制御するために前記ウェブブラウザの前記ユーザがＵＲＬを選択し、各ＵＲＬが前記装置の内部に配置されたウェブページを指し示すことも、あるいは前記装置の外部に配置されたウェブページを指し示すこともできることを特徴とする請求項２６に記載のシステム。
【請求項２９】
前記ＨＴＭＬファイルが、前記装置に関する追加情報を指定する前記通信網上の他の任意の場所に配置された外部ウェブページへのハイパーリンクを含むことを特徴とする請求項２６に記載のシステム。
【請求項３０】
前記通信網が、家庭ベースの通信網を備えることを特徴とする請求項２５に記載のシステム。
【請求項３１】
前記通信網が、大組織通信網を備えることを特徴とする請求項２５に記載のシステム。
【請求項３２】
前記通信網が、インターネットのワールドワイドウェブを備えることを特徴とする請求項２５に記載のシステム。